(57)【要約】【課題】ＵＳＢメモリを腰帯に保管して紛失の危険を減らすＵＳＢメモリ内蔵型腰帯を提供する。【解決手段】ズボンまたはスカートに着用して腰を締める腰帯であって、腰帯の終端部に設けられ、腰帯の始端部に設けられたバックルに連結される終端金具と、腰帯の始端部に設けられ、腰帯の後部に位置する長さ調節部に連結されるバックルと、終端金具またはバックルに設けられ、ＵＳＢメモリを収容するＵＳＢ部とを含む。【選択図】図１
2011106046.tif 000002
【特許請求の範囲】
【請求項１】
ズボンまたはスカートに着用して腰を締める腰帯において、
前記腰帯の終端部に設けられ、前記腰帯の始端部に設けられたバックルに連結される終端金具と、
前記終端金具の中心に設けられ、ＵＳＢメモリを収容するためのＵＳＢメモリ保管部と、
前記ＵＳＢメモリ保管部に着脱可能に結合され、ＵＳＢメモリを着脱することができるようにＵＳＢメモリの終端部に設けられた“Ｔ”字形のつまみと、を含むことを特徴とする、ＵＳＢメモリ内蔵型腰帯。
【請求項２】
前記ＵＳＢメモリ保管部は、ＵＳＢメモリが着脱可能に結合されるように、いずれか１方向以上に折り曲げられていることを特徴とする、請求項１に記載のＵＳＢメモリ内蔵型腰帯。
【請求項３】
前記ＵＳＢメモリの両側に設けられ、ＵＳＢメモリを着脱可能にする係止突起調節部と、
前記固定調節部に固定され、前記ＵＳＢメモリを終端金具に固定させる係止突起と、を含むことを特徴とする、請求項１に記載のＵＳＢメモリ内蔵型腰帯。
【請求項４】
ズボンまたはスカートに着用して腰を締める腰帯において、
前記腰帯の始端部に設けられ、前記腰帯の後部に形成された長さ調節部に連結されるバックルと、
前記バックルの中間に設けられ、ＵＳＢメモリを着脱可能に収容するＵＳＢメモリ保管部と、
前記ＵＳＢメモリ保管部に着脱可能に結合され、一側面に突起が形成された“Ｔ”字形のＵＳＢメモリと、を含むことを特徴とする、ＵＳＢメモリ内蔵型腰帯。
【請求項５】
前記ＵＳＢメモリ保管部は、ＵＳＢメモリが着脱可能に結合されるように、いずれか１方向以上に折り曲げられていることを特徴とする、請求項４に記載のＵＳＢメモリ内蔵型腰帯。
【請求項６】
前記ＵＳＢメモリ保管部は、“Ｔ”字形の上板と、“ロ”字形の下板とを含んでなることを特徴とする、請求項４に記載のＵＳＢメモリ内蔵型腰帯。
【発明の詳細な説明】
【技術分野】
【０００１】
本発明はＵＳＢメモリ内蔵型腰帯に係り、より詳しくは終端金具またはバックル、ＵＳＢメモリ保管部及びＵＳＢメモリからなるＵＳＢメモリ内蔵型腰帯に関する。
【背景技術】
【０００２】
従来の腰帯には、男性の上着、女性の礼服、婚礼服などの礼服に締める大帯があり、平常服に締める腰帯があった。大帯は、白色の薄絹を外層にし、赤色の薄絹を内層にして１重ないし２重にした後、この中に芯を差し入れて広幅に作られたものである。
【０００３】
男性の腰帯はズボンなどがずり落ちないように固定するためのもので、ズボンなどと同じ生地を多重にして結びで締めた。その幅は４〜５ｃｍ、長さは腰囲の１．５倍程度である。
【０００４】
女性の腰帯は２種に区分される。その一つは男性のものに似ているように作り、家庭服、外出服などの上に締めることで、スカートがずり落ちることを防止した。スカートの生地のような綿織物または絹織物で幅５〜７ｃｍ、長さ１７０〜１８０ｃｍを有するように多重にした。
【０００５】
他の一つは、上着の長さが短くなることによって上着とスカートの間の脇部位を遮る遮断具の役目をする腰帯である。これは朝鮮後期に現れた形態のもので、上着を着るに先立ち、脇部位に近くに上げて胸を締めることで脇部の皮膚を遮るものであった。
【０００６】
これは季節に応じて一重にするか、あるいは多重にして綿を挿入して作られたので、冬季には防寒の役目も兼ねた。生地としては、白木綿、絹織物などを使い、幅２５ｃｍ、長さ９０〜１０４ｃｍのもので、両端に狭紐が付けられていた。
【０００７】
また、腰帯はズボンなどがずり落ちないように衣服の腰部分に締める帯としてだけ使用されてきた。
【０００８】
一方、従来のＵＳＢ（Ｕｎｉｖｅｒｓａｌ Ｓｅｒｉａｌ Ｂｕｓ）はコンピュータと周辺機器を連結するのに使われる入出力標準の一つである。
【０００９】
代表的なバージョンとしては、ＵＳＢ１．０、ＵＳＢ１．１、ＵＳＢ２．０などがある。
【００１０】
ＵＳＢの最上側にはホストコントローラ（ｈｏｓｔ ｃｏｎｔｒｏｌｌｅｒ）がある。ホストコントローラはルートハブを通じて二つのＵＳＢ端子を提供する。
【００１１】
一般に、この端子に周辺機器を連結して使用し、ポートが足りないと、ハブを連結することでより多くのポートを提供することができる。
【００１２】
一つのホストコントローラには周辺機器を樹枝状に１２７個までも連結することができる。
【００１３】
ＵＳＢ方式で連結された周辺機器はたいていホットプラグ（またはホットスワップ；使用中にいつでも周辺装置を連結するか分離することができる機能）を支援する。
【００１４】
ＵＳＢ方式で連結された周辺機器には少量の電力が共に供給される。よって、通常は外部電源を用いなくても簡単に周辺機器を使用することができる。
【００１５】
ＵＳＢメモリはこのようなＵＳＢポートに連結される周辺機器の代表的な例である。ＵＳＢメモリは体積が小さくて携帯が容易で便利であるが、紛失の危険が高い問題点が指摘されてきた。
【発明の概要】
【発明が解決しようとする課題】
【００１６】
本発明は前記のような問題点を解決するためになされたもので、腰帯の終端金具またはバックルにＵＳＢメモリ保管部を提供することで、ＵＳＢメモリを腰帯に保管して紛失の危険を減らすことができるＵＳＢメモリ内蔵型腰帯を提供することにその目的がある。
【課題を解決するための手段】
【００１７】
前記のような課題を解決するために、本発明の一実施例によれば、腰帯の後部に位置する終端金具に係止部を備えてＵＳＢメモリの着脱を容易にするＵＳＢメモリ保管部と、前記ＵＳＢメモリ保管部に収容される“Ｔ”字形のＵＳＢメモリ部とを含むＵＳＢメモリ内蔵型腰帯を提供する。
【００１８】
前記のような課題を解決するために、本発明の他の実施例によれば、腰帯の始端部に設けられたバックルに“Ｔ”字形に折り曲げられてなるＵＳＢメモリ保管部と、前記ＵＳＢメモリ保管部に着脱可能に結合されるように、“Ｔ”字形に射出成型されたＵＳＢメモリ部とを含むＵＳＢメモリ内蔵型腰帯を提供する。
【発明の効果】
【００１９】
本発明は、腰帯とＵＳＢメモリを結合して、前記ＵＳＢメモリを使用してから腰帯の終端金具またはバックルに保管することで、ＵＳＢメモリの紛失の危険を格段に減らすことができる効果がある。
【図面の簡単な説明】
【００２０】
【図１】本発明の一実施例によるＵＳＢメモリ内蔵型腰帯の終端金具とＵＳＢメモリ部が結合された状態を示す正面図である。
【図２】本発明の一実施例によるＵＳＢメモリ内蔵型腰帯の終端金具とＵＳＢメモリ部が分離された状態を示す断面図である。
【図３】本発明の一実施例の変形例によるＵＳＢメモリ内蔵型腰帯の終端金具とＵＳＢメモリ部が分離された状態を示す正面図である。
【図４】本発明の他の実施例によるＵＳＢメモリ内蔵型腰帯の終端金具とＵＳＢメモリ部が結合された状態を示す正面図である。
【図５】本発明の他の実施例によるＵＳＢメモリ内蔵型腰帯のバックルの正面図である。
【図６】本発明の他の実施例によるＵＳＢメモリ内蔵型腰帯のＵＳＢメモリの正面図である。
【図７】本発明の他の実施例によるＵＳＢメモリ内蔵型腰帯のＵＳＢメモリの背面図である。
【発明を実施するための形態】
【００２１】
以下、添付図面を参照しながら、本発明の好適な実施例を詳細に説明する。なお、本発明の説明において、関連の公知機能あるいは構成についての具体的な説明が本発明の要旨を不必要にあいまいにすることができると思われる場合、その詳細な説明は省略する。
【００２２】
本発明の一実施例は、ズボンまたはスカートに着用して腰を締める腰帯であって、前記腰帯の終端部に設けられ、前記腰帯の始端部に設けられたバックルに連結される終端金具と、前記終端金具の中心に設けられ、ＵＳＢメモリが着脱可能に結合されるように、いずれか１方向以上に折り曲げられているＵＳＢメモリ保管部と、前記ＵＳＢメモリ保管部に着脱可能に結合され、ＵＳＢメモリを着脱することができるようにＵＳＢメモリの終端部に設けられた“Ｔ”字形のつまみとを含むＵＳＢメモリ内蔵型腰帯に係る。
【００２３】
図１は本発明の一実施例による腰帯の終端金具とＵＳＢメモリ部が結合された状態を示す正面図、図２は本発明の一実施例による腰帯の終端金具とＵＳＢメモリ部が分離された状態を示す断面図である。
【００２４】
図２に示すように、本発明の一実施例によるＵＳＢメモリ内蔵型腰帯は、ＵＳＢメモリ部２０の始端部に設けられ、終端金具１０の内側に形成されたＵＳＢメモリ保管部１１に着脱可能に結合されるＵＳＢメモリ２２と、前記ＵＳＢメモリ２２の中心線の両側に形成され、ＵＳＢメモリ２０が前記終端金具１０に着脱可能に結合されるようにする係止突起２３と、前記終端金具１０の両側に形成され、前記ＵＳＢメモリ２２が脱着できないようにする係止凹部１２とを含む。
【００２５】
前記係止突起２３は、前記ＵＳＢメモリの終端部に位置する係止突起調節部２４を押し込むことにより内側に移動し、前記係止突起調節部２４に印加される力を解除すると、前記ＵＳＢメモリ保管部１１の終端に設けられた係止突起固定部２５によって、前記係止突起２３が元の位置に戻る。
【００２６】
図３は本発明の一実施例の変形例を示すもので、終端金具とＵＳＢメモリ部が分離された状態を示す正面図である。
【００２７】
図３に示すように、本発明の一実施例の変形例は、前記ＵＳＢメモリ部２０の終端側に設けられ、ＵＳＢメモリが着脱できるようにするつまみ２１と、前記ＵＳＢメモリ部２０の両側に形成され、前記終端金具１０の一内側面に結合されて、ＵＳＢメモリが脱着できないようにする突起２６とを含む。
【００２８】
本発明の他の実施例は、ズボンまたはスカートに着用して腰を締める腰帯であって、前記腰帯の始端部に設けられ、前記腰帯の後部に形成された長さ調節部２０Ａに連結されて前記腰帯の着用長さを調節するバックル１０Ａと、前記バックル１０Ａの中間に設けられ、いずれか１方向以上に折り曲げられて、ＵＳＢメモリ４０を着脱可能に収容するＵＳＢメモリ保管部３０と、前記ＵＳＢメモリ保管部３０に着脱可能に結合され、ＵＳＢメモリを着脱することができるようにする“Ｔ”字形のＵＳＢメモリ４０とを含むＵＳＢメモリ内蔵型腰帯に係る。
【００２９】
図４は本発明の他の実施例による腰帯のバックル１０ＡとＵＳＢメモリ４０が結合された容態を示す正面図である。
【００３０】
同図に示すように、この実施例の腰帯は、始端部に設けられ、後側の長さ調節部２０Ａに締結されるバックル１０Ａの中間に位置するＵＳＢメモリ保管部３０が着脱可能なＵＳＢメモリ４０を収容する。
【００３１】
図５はこの実施例によるバックルの正面図である。
【００３２】
同図に示すように、前記バックル１０Ａの中間に固着されたＵＳＢメモリ保管部３０は、“Ｔ”字形に折り曲げられた上板３２と、“ロ”字形に折り曲げられた下いた３１と、前記上板と下板を固定する固定ピン３３とを含んでなる。
【００３３】
図６はこの実施例によるＵＳＢメモリの正面図である。
【００３４】
同図に示すように、前記ＵＳＢメモリ４０は前記ＵＳＢメモリ保管部３０に着脱可能であり、ＵＳＢ４０の終端部には、ＵＳＢメモリをＵＳＢメモリ保管部から簡単に脱着することができるように、突起４１が形成されている。
【００３５】
図７はこの実施例によるＵＳＢメモリの背面図である。
【００３６】
同図に示すように、前記ＵＳＢ４０は、背面の両側に“一”字形のＵＳＢメモリ固定突起４２が形成され、この突起は下板３１の一側面と接触してＵＳＢメモリを前記ＵＳＢメモリ保管部に保持させる。
【００３７】
以上、添付図面を参照しながら本発明の好適な実施形態について説明したが、本発明はかかる例に限定されないことは言うまでもない。当業者であれば、特許請求の範囲に記載された範疇において、各種の変更例または修正例に想到し得ることは明らかであり、それらについても当然ながら本発明の技術的範囲に属するものと了解される。
【産業上の利用可能性】
【００３８】
本発明は、ＵＳＢメモリを腰帯に保管して紛失の危険を減らすＵＳＢメモリ内蔵型腰帯に適用可能である。
【符号の説明】
【００３９】
１０    終端金具
１０Ａ    バックル
１１    ＵＳＢメモリ保管部
１２    係止凹部
２０    ＵＳＢメモリ部
２０Ａ    長さ調節部
２１    つまみ
２２    ＵＳＢメモリ
２３    係止突起
２４    係止突起調節部
２５    係止突起固定部
２６    突起
３０    ＵＳＢメモリ保管部
３１    下板
３２    上板
３３    固定ピン
４０    ＵＳＢ
４１    突起
４２    ＵＳＢメモリ固定突起
【図１】
2011106046.tif 000003
【図２】
2011106046.tif 000004
【図３】
2011106046.tif 000005
【図４】
2011106046.tif 000006
【図５】
2011106046.tif 000007
【図６】
2011106046.tif 000008
【図７】
2011106046.tif 000009